(57)【要約】【課題】  木造建築を始めとする各種木構造において、部材同士をあらゆる交角でつなぐことができ、しかも部材のねじれを防止可能な連結構造を提供すること。【解決手段】  部材５１、６１同士をつなぐ連結構造として、部材５１、６１に埋め込む埋設軸４１と、部材５１、６１同士の境界に配置し且つ側周面に曲面３４を有する連結管１１と、曲面３４の内周側に接触する内方ワッシャ２１と、を用い、埋設軸４１の端部にはメネジ４８を設ける。また連結管１１の曲面３４には、メネジ４８に螺合するボルト３８を差し込むため、周方向に伸びる長孔３１を設け、さらに埋設軸４１が一本だけの場合でも、連結管１１と部材５１、６１のねじれを防止するため、回動防止手段を設ける。回動防止手段としては、内方ワッシャ２１から部材５１、６１に向け、釘類２８を差し込む等が挙げられる。【選択図】      図１
2015203281.tif 000002
【特許請求の範囲】
【請求項１】
部材（５１、６１）同士をつなぐ連結構造であって、
該部材（５１、６１）に埋め込む埋設軸（４１又は４２又は４３）と、
該部材（５１、６１）同士の境界に配置し且つ側周面に円弧状の曲面（３４）を有する連結管（１１乃至１７）と、
前記曲面（３４）の内周側に接触する内方ワッシャ（２１乃至２５）と、
を用い、
前記埋設軸（４１又は４２又は４３）の端部には、メネジ（４８）または軸線方向に突出するオネジ（４９）を設け、
前記曲面（３４）には、前記メネジ（４８）に螺合するボルト（３８）、または前記オネジ（４９）を差し込むため周方向に伸びる長孔（３１又は３２）を設け、
前記部材（５１、６１）と前記連結管（１１乃至１７）のねじれを防止するため、回動防止手段を設けたことを特徴とする連結構造。
【請求項２】
前記回動防止手段は、前記内方ワッシャ（２１又は２２）から前記部材（５１、６１）に向けて差し込む釘類（２８）で、該内方ワッシャ（２１又は２２）には、該釘類（２８）を差し込むための側孔（３７）を設けたことを特徴とする請求項１記載の連結構造。
【請求項３】
前記回動防止手段は、前記内方ワッシャ（２３）から突出し且つ前記長孔（３２）を経て前記部材（５１、６１）に形成した段差部（５９、６９）に嵌まり込む突出部（２９）であることを特徴とする請求項１記載の連結構造。
【請求項４】
前記回動防止手段は、前記部材（５１、６１）に形成し且つ前記連結管（１２又は１１）の側周面が嵌まり込む収容溝（５６又は５４と６４）であることを特徴とする請求項１記載の連結構造。
【請求項５】
前記回動防止手段は、前記連結管（１４又は１１）の端面および前記部材（５１、６１）を挟み込む二枚のプレート（１８又は１９）であることを特徴とする請求項１記載の連結構造。
【発明の詳細な説明】
【技術分野】
【０００１】
本発明は、木造建築を始めとする各種木構造において、部材同士を自在な交角でつなぐことのできる連結構造に関する。
【背景技術】
【０００２】
木造建築で広く普及している軸組構法では、強度を向上するため、筋交いなどの斜材を配置することが多い。また近年は木造建築の多様化により、多数の部材を様々な交角で配置することがあるほか、木材でトラス構造を組み上げることもある。このように、部材同士を直角ではなく斜方向に連結する場合、施工作業が複雑化するほか、強度の確保も難しくなる。そのため以前から様々な技術開発が進められており、例として後記特許文献が挙げられる。
【０００３】
特許文献１では、構成が簡素で施工費の低減を図ることのできる木材の接合構造が開示されており、木材に埋め込む全螺子ボルトと、円環部材を用いている。円環部材は、文字通りの円筒形で、二部材の境界に配置され、また全螺子ボルトは、連結される個々の部材の小口に埋め込むが、その一端は部材から突出させる。そして、部材から突出する全螺子ボルトを円環部材の挿通孔に差し込み、その先端にナットを螺合させて締め付けると、二部材が連結される。この技術は、円環部材の挿通孔の位置を調整することで、二部材を自在な角度で連結することができる。
【０００４】
また特許文献２では、二部材を斜方向に接合するために用い、単純な構造で強度にも優れた建築用接合金具が開示されている。この接合金具は、母屋などの部材の端面に埋め込む連結棒と、二部材の間に配置する円筒形の受け金具などで構成され、母屋の端面から突出した連結棒を受け金具の係入溝に差し込み、さらに連結棒の先端にナットを螺合させて締め付ける。併せて、ボルトとナットを用い、受け金具を隅木などの部材に取り付ける。
【０００５】
そのほか特許文献３では、建築物などに用いる筋違緊定具が開示されている。この文献では、縦架材と横架材で枠組が構成され、その対角線上に筋違ボルト（テンションロッド）を配置することが示され、筋違ボルトの端部は、筋違緊定具で固定される。筋違緊定具は、縦架材や横架材と面接触する二箇所の取付部と、取付部同士を結ぶ円弧状の曲面部などを備え、曲面部で筋違ボルトの端部を固定する。そして筋違ボルトの傾斜角度に対する柔軟性を確保するため、曲面部に長孔を形成してある。また取付部は、ボルトを介して縦架材と横架材の双方に固定され、あらゆる方向の荷重に対抗できる。
【先行技術文献】
【特許文献】
【０００６】
【特許文献１】特開平８−１０５１２４号公報
【特許文献２】実用新案登録第３１１２５４９号公報
【特許文献３】実公昭３１−０１８２１８号公報
【発明の概要】
【発明が解決しようとする課題】
【０００７】
このように、二部材を斜方向に連結する技術は、様々な提案がなされている。ただし特許文献１で開示された構造は、大断面の部材の連結を想定しており、軸組構法などで使用する比較的細い部材への導入は難しい。対して特許文献２では、比較的細い部材での使用を想定している。しかし、円筒形の受け金具に設けた係入溝の位置により、連結される二部材の交角が限定され、一種類の受け金具だけでは汎用性に乏しい。そのほか特許文献３では、長孔を設けることで、筋違ボルトをあらゆる方向に配置できる汎用性を有するが、この技術を部材同士の連結にそのまま導入することはできない。
【０００８】
各種木構造で部材同士を連結するため、部材の端面や側面にラグスクリューやシャフトを埋め込むことがある。ラグスクリューは、部材と強固に一体化するため、強度の優れ経年劣化も少ないなど、様々な利点を有するが、軸組構法で使用する比較的細い部材では、その大きさから複数本を並べて配置することが難しく、その結果、軸線を中心として部材が回動する恐れもある。シャフトについても、強度上ある程度の太さが必要で、やはり複数本を並べて配置することが難しく、同様に回動の恐れがある。しかし部材は施工後、周辺に悪影響を与えないよう、不動状態とすべきで、回動（ねじれ）を許容することは好ましくない。
【０００９】
本発明はこうした実情を基に開発されたもので、部材同士をあらゆる交角でつなぐことができ、しかも部材のねじれを防止可能な連結構造の提供を目的としている。
【課題を解決するための手段】
【００１０】
前記の課題を解決するための請求項１記載の発明は、部材同士をつなぐ連結構造であって、該部材に埋め込む埋設軸と、該部材同士の境界に配置し且つ側周面に円弧状の曲面を有する連結管と、前記曲面の内周側に接触する内方ワッシャと、を用い、前記埋設軸の端部には、メネジまたは軸線方向に突出するオネジを設け、前記曲面には、前記メネジに螺合するボルト、または前記オネジを差し込むため周方向に伸びる長孔を設け、前記部材と前記連結管のねじれを防止するため、回動防止手段を設けたことを特徴とする連結構造である。
【００１１】
本発明による連結構造は、埋設軸と連結管と内方ワッシャの三要素を中心に構成され、筋交いなどの連結を想定しており、部材同士の交角が異なる場合でも、都度、専用部品を製造する必要がなく、汎用性に優れる点を特徴とする。なお本発明は、二本の筋交いをＶ字状に配置する箇所など、三部材の連結にも使用することができる。また連結される部材のうち、少なくとも一本は木材（各種集成材を含む）であることを前提とする。
【００１２】
埋設軸は、部材の端面や側面に埋め込む金属製の棒状で、通常、ラグスクリューやシャフトを用いる。ラグスクリューの側周面からは、螺旋状に伸びる凸条が突出しており、これが部材に食い込むことで、部材と埋設軸が強固に一体化する。また埋設軸としてシャフトを用いる場合、接着剤やピンで部材に固定する。なお連結される複数の部材のうち、少なくとも一本は、埋設軸を一本だけ埋め込むものとする。
【００１３】
埋設軸の一端部には、メネジまたはオネジを設ける。メネジやオネジは、埋設軸と連結管の連結を担うもので、メネジは、埋設軸を部材に埋め込んだ際、後端側となる端面に形成し、連結管の内部から差し込んだボルトの螺合に用いる。対するオネジは、後端側となる端面から突出させ、その先端を連結管の内部に差し込む。そしてオネジの先端にナットを螺合させて締め付けると、埋設軸が連結管に引き寄せられる。
【００１４】
連結管は、金属製の筒状で、連結される複数の部材の境界に配置され、個々の部材と連結管を一体化することで、連結管を介して部材同士の連結が実現する。連結管の形状は、円筒形が基本だが、用途によっては、一部領域だけを円弧状とすることもできる。ただし本発明で用いる連結管は、円弧状となっている領域が必要不可欠で、この領域を便宜上、曲面と称するものとする。仮に連結管が円筒形であれば、全域が曲面となる。
【００１５】
長孔は、連結管の曲面に設ける切り抜きで、埋設軸のメネジに螺合するボルトの差し込み、または埋設軸のオネジの差し込みに用い、曲面の周方向に伸びている。そのためボルトやオネジは、長孔の範囲内で自在に変位可能で、様々な交角の部材同士を連結できる。当然ながら長孔は、強度などに影響がない範囲で長尺化することが好ましい。なお長孔は、個々の部材に対応して、一個の連結管に三箇所以上設けることもある。
【００１６】
内方ワッシャは、連結管の曲面の内周側に配置され、長孔に差し込まれるボルトの頭部、または長孔に差し込まれるオネジに螺合するナットを安定して据え置くために用いる。長孔は曲面に設けてあり、ボルトの頭部やナットは、連結管と面接触できず安定性に乏しい。そこで双方の間に内方ワッシャを挟み込み、接触範囲を増やすことで安定性を確保する。内方ワッシャの一面は、曲面に対して据わりの良い形状としてあるが、その反対面には平面を設けてあり、ボルトの頭部やナットを安定して据え置くことができる。当然ながら内方ワッシャには、ボルトの軸部やオネジを差し込むため、孔を設ける。
【００１７】
回動防止手段は、連結管と部材のねじれを防止する役割を担う。本発明において、少なくとも一本の部材は、一本の埋設軸だけを介して連結管と連結される。そのため条件によっては、埋設軸を中心として、連結管と部材がねじれる恐れがある。施工後、実際にねじれが生じると、ボルトの緩みや内装材の変位など、様々な問題が発生する。そこで何らかの回動防止手段によって、双方のねじれを防止する。
【００１８】
このように、曲面を有する連結管を用いて部材同士を連結することで、曲面を利用して、連結管のあらゆる位置に部材を接触させることができる。また曲面に長孔を設けることで、連結管と部材を引き寄せるボルトやオネジも、自在に配置できる。そのため複数の部材をあらゆる交角で連結可能で、しかも回動防止手段を設けたことで、埋設軸を中心とした部材のねじれを防止でき、比較的細い部材でも無理なく連結することができる。
【００１９】
請求項２記載の発明は、回動防止手段の具体例を示したもので、回動防止手段は、内方ワッシャから部材に向けて差し込む釘類で、該内方ワッシャには、該釘類を差し込むための側孔を設けたことを特徴とする。この発明は、内方ワッシャから部材に向けて釘類を差し込み、連結管と部材のねじれを防止するものである。そのため内方ワッシャには、ボルトを差し込むための中孔とは別に、釘類を差し込むため、側孔を設ける。なお施工時は、側孔を連結管の長孔に重ね、釘類の差し込みを妨げないようにする。また釘類は、平頭釘やネジ釘など自在に選択可能だが、埋設軸よりも小さい物を使用する。したがって、比較的細い部材であっても、無理なく現地で差し込みができる。
【００２０】
請求項３記載の発明も、回動防止手段の具体例を示したもので、回動防止手段は、内方ワッシャから突出し且つ長孔を経て部材に形成した段差部に嵌まり込む突出部であることを特徴とする。突出部は、内方ワッシャの側周面の一部を部材に向けて突出させた部位で、これが長孔を通り抜け、部材に加工した段差部に嵌まり込むことで、連結管と部材のねじれを防止する。突出部の断面は、その目的から円以外とする。また段差部は、突出部の変位を規制できる形状にする。
【００２１】
請求項４記載の発明も、回動防止手段の具体例を示したもので、回動防止手段は、部材に形成し且つ連結管の側周面が嵌まり込む収容溝であることを特徴とする。収容溝は、連結管の側周面の形状に合わせて、部材の表面を削り取った部位である。この収容溝に連結管を嵌め込み、密着させることで、双方の変位が規制され、連結管と部材のねじれを防止する。なお収容溝の奥行きは、連結管のごく一部が嵌まり込む程度で構わない。
【００２２】
請求項５記載の発明も、回動防止手段の具体例を示したもので、回動防止手段は、連結管の端面および部材を挟み込む二枚のプレートであることを特徴とする。プレートは単純な板で、連結管の両端面に接触するように配置し、さらに部材の両面を挟み込む。これによって、双方の変位が規制され、連結管と部材のねじれを防止する。なお二枚のプレートは、ボルトとナットのほか接着など、様々な方法で連結管に固定する。またプレートは、連結管と部材の挟み込みができるならば形状に制約はなく、部材同士の交角に応じた専用品は不要である。プレートを用いることで、連結管の両端面を塞ぎ、美感を向上することもできる。
【発明の効果】
【００２３】
請求項１記載の発明のように、部材同士の連結構造として、埋設軸と連結管と内方ワッシャの三要素のほか、何らかの回動防止手段を用い、さらに連結管の側周面に曲面を設けることで、連結管のあらゆる位置に部材を接触させることができ、また曲面に長孔を設けることで、連結管と部材を引き寄せるボルトやオネジも、自在に配置できる。そのため、部材同士をあらゆる交角で連結可能で、しかも回動防止手段により、連結管と部材のねじれを防止でき、埋設軸が一本だけ埋め込まれた比較的細い部材でも、無理なく連結することができる。
【００２４】
請求項２から請求項５に記載した発明のように、回動防止手段を具体的に特定することで、本発明を実際の各種木構造に導入可能になる。請求項２記載の発明は、部材に向けて釘類を差し込むもので、部材の加工を最小限に留めることができる。請求項３または４記載の発明は、釘類の差し込みが不要で、施工作業を簡素化できる。請求項５記載の発明は、部材の加工を最小限に留めることができるほか、連結管の両端面を塞ぎ、美感を向上することもできる。
【図面の簡単な説明】
【００２５】
【図１】本発明の連結構造の具体例を示す斜視図である。
【図２】図１の二部材を直角に連結した状態を示す斜視図と横断面図である。
【図３】図１の二部材を斜方向に連結した状態を示す斜視図と横断面図である。
【図４】内方ワッシャの形状例を示す斜視図である。
【図５】内方ワッシャに突出部を設け、突出部を部材の段差部に嵌め込み、連結管と部材のねじれを防止する構成を示す斜視図である。
【図６】図５の二部材を直角に連結した状態を示す斜視図と横断面図である。
【図７】連結管を半円形状として、その一部を部材の収容溝に嵌め込む構成を示す斜視図である。
【図８】図７の二部材を直角に連結した状態を示す斜視図と横断面図である。
【図９】部材のねじれ対策として、それぞれの部材に円弧状の収容溝を加工した構成を示す斜視図である。
【図１０】埋設軸の形状例を示す斜視図で、一端側にオネジを設けてある。
【図１１】連結管と部材のねじれを規制するため、円盤状のプレートを用いた構成を示す斜視図である。
【図１２】図１１の二部材を連結する過程を示す斜視図である。
【図１３】連結管と部材のねじれを規制するため、帯状のプレートを用いた構成を示す斜視図である。
【図１４】図１３の二部材を連結する過程を示す斜視図である。
【図１５】美感などを考慮して、連結管の両端面をフタで塞ぐ構成を示す斜視図である。
【図１６】図１５の二部材を連結する過程を示す斜視図である。
【図１７】図１５の一方の部材を鋼材に置き換え、また他方の部材には、異形棒鋼を用いた埋設軸を埋め込んだ構成を示す斜視図である。
【図１８】図１７の二部材を連結する過程を示す斜視図である。
【図１９】より簡素な方法で二部材を連結する構成を示す斜視図で、「回動防止手段」として機能する釘類は、連結管からそのまま部材に向けて差し込んでいる。
【図２０】三本の部材を連結する構成を示す斜視図である。
【発明を実施するための形態】
【００２６】
図１は、本発明の連結構造の具体例を示している。この図では、二本の部材５１、６１を連結するため、円筒形の連結管１１を用いており、さらに一方の部材５１の側面と他方の部材６１の端面に同形状の埋設軸４１を埋め込む。また連結管１１の内部には、内方ワッシャ２１を配置して、ここから両埋設軸４１に向けてボルト３８を差し込み、併せて部材５１、６１に向けて釘類２８を差し込む。なおこの図の部材５１、６１は、いずれも木材（各種集成材を含む）を想定している。
【００２７】
埋設軸４１は金属製の円柱状で、その側周面には螺旋状に伸びて半径方向に突出する凸条４７を形成してある。また埋設軸４１の一端面には、埋め込みの際に工具を掛けるため、六角形の頭部４６を形成してあり、その中心にはメネジ４８を形成してある。なお埋設軸４１を埋め込むため、部材５１、６１には、あらかじめ下穴５５、６５を加工しておく。施工時は、頭部４６を後方に向けて埋め込みを行い、最終的には頭部４６端面を部材５１、６１表面と段差なく並べる。凸条４７は、下穴５５、６５の内周面に突き刺さるため、埋設軸４１と部材５１、６１は、強固に一体化する。
【００２８】
連結管１１は金属製で、その側周面には長孔３１を形成してある。長孔３１は、対向する二箇所に配置してあり、いずれも周方向に伸びている。また内方ワッシャ２１は、連結管１１の内部から差し込むボルト３８や釘類２８を安定して据え置くためのもので、その中央には、ボルト３８を差し込むため、中孔３５を形成してあり、端寄りには、釘類２８を差し込むため、側孔３７を形成してある。さらに内方ワッシャ２１の一面は、連結管１１の内周面に応じて湾曲しており、隙間なく密着する。ただしその裏面は、ボルト３８や釘類２８の頭部と面接触できるよう、平面状に仕上げてある。
【００２９】
連結管１１は円筒形で、その側周面全体を曲面３４と称するものとする。そのため、部材５１、６１の側面や端面は、この曲面３４のあらゆる位置に接触可能で、さらにボルト３８を長孔３１に差し込むことで、ボルト３８の配置を調整可能で、二部材５１、６１を様々な交角で連結できる。
【００３０】
この図では、二部材５１、６１とも断面積が小さく、埋設軸４１は、一本の部材５１、６１について、一本だけとしてあり、ボルト３８を軸として、連結管１１と部材５１、６１がねじれる恐れがある。そのため内方ワッシャ２１には、ボルト３８のほか釘類２８を差し込む。釘類２８は、側孔３７から長孔３１を経て部材５１、６１に差し込まれる。なお釘類２８は、埋設軸４１に比べて小さく、現地で無理なく差し込み可能である。
【００３１】
図２は、図１の二部材５１、６１を直角に連結した状態を示している。連結管１１に長孔３１を設けることで、ボルト３８は連結管１１の曲面３４に沿って変位可能だが、このように二部材５１、６１を直角に連結することもできる。なお釘類２８は、内方ワッシャ２１の端寄りから、側孔３７と長孔３１を経て部材５１、６１に差し込まれ、連結管１１と部材５１、６１のねじれを防止する。
【００３２】
連結管１１の長孔３１周辺は、埋設軸４１の端面と接触している。そのため部材５１、６１の間に作用する圧縮荷重は、この接触面を介して伝達され、連結管１１が部材５１、６１に押し入ることはない。また経年の乾燥などによって、部材５１、６１が収縮した場合でも、それによって連結管１１に緩みが生じることもない。なおこの図では、一本の部材５１、６１について、埋設軸４１を一本だけに限定することで、コストダウンを実現している。そのほか埋設軸４１は、部材５１、６１の中央に埋め込まれ、強度面でも有利である。
【００３３】
図３は、図１の二部材５１、６１を斜方向に連結した状態を示している。このように、連結管１１の長孔３１を利用することで、一定の範囲ではあるが、二部材５１、６１の交角を自在に調整できる。なお横断面図において、左側の部材６１に差し込まれる釘類２８は、ボルト３８の右隣に位置している。しかし内方ワッシャ２１を反転させて、ボルト３８の左隣に釘類２８を配置するならば、二部材５１、６１の交角を一段と小さくすることもできる。
【００３４】
図４は、内方ワッシャ２２の形状例を示している。この図の連結管１１は、先の図１と同じである。そしてこの内方ワッシャ２２は、連結管１１の内周面と接触する領域が単純な湾曲面ではなく、長孔３１に嵌まり込む規制片２７が突出している。規制片２７を長孔３１に嵌め込むことで、施工作業時、内方ワッシャ２２を安定して配置することができ、ボルト３８の差し込みや締め付けを円滑に実施できる。また、規制片２７の先端面が部材５１、６１や埋設軸４１と接触することで、連結部の剛性が一段と向上する。なお中孔３５と側孔３７は、先の図１の内方ワッシャ２１と同様に配置してある。
【００３５】
図５は、内方ワッシャ２３に突出部２９を設け、突出部２９を部材５１、６１の段差部５９、６９に嵌め込み、連結管１３と部材５１、６１のねじれを防止する構成を示している。この内方ワッシャ２３の一面には、長孔３２を経て外部に飛び出す突出部２９を設け、その中心に中孔３５を設けてある。ただし突出部２９よりも上または下の部分は、連結管１３の内周面と面接触できるよう湾曲面としてある。そして部材５１、６１には、突出部２９を嵌め込むため、表面を削り込んだ段差部５９、６９を加工してあり、双方が実際に嵌まり込むことで、連結管１３と部材５１、６１のねじれを防止する。当然ながら突出部２９と段差部５９、６９は、緩みなく嵌り込むよう形状を揃える。
【００３６】
このように段差部５９、６９を設ける場合、その奥に埋設軸４１を埋め込むため、下穴５５、６５を加工する。そのため、連結管１３と埋設軸４１は非接触となるが、内方ワッシャ２３と埋設軸４１が接触するため、連結管１３が部材５１、６１に押し入ることはない。なお、連結管１３の長孔３２の上下寸法は、突出部２９が隙間なく嵌まり込むよう調整してあり、突出部２９が長孔３２と段差部５９、６９の双方に嵌まり込むことで、上下方向の荷重を伝達することができる。
【００３７】
図６は、図５の二部材５１、６１を直角に連結した状態を示している。突出部２９は、長孔３２を経て段差部５９、６９に嵌り込み、その奥で埋設軸４１と接触している。またボルト３８は、中孔３５を経てメネジ４８に螺合しており、各部材５１、６１は、連結管１３に引き寄せられている。当然ながら内方ワッシャ２３は、長孔３２の範囲で自在に配置できるため、二部材５１、６１を斜方向に連結することもできる。そのほか、この図の構成では、連結管１３と部材５１、６１を非接触とすることもできるが、剛性などを考慮すると接触させることが好ましい。
【００３８】
図７は、連結管１２を半円形状として、その一部を部材５１の収容溝５６に嵌め込む構成を示している。この図の連結管１２の左側部分は、これまでの図と同様、曲面３４となっているが、右側部分は、板状の平面３６となっている。そして部材５１の側面には、連結管１２の平面３６を嵌め込むため、収容溝５６を加工してある。収容溝５６の幅は、連結管１２に対応しており、双方が嵌まり込むことで、連結管１２と部材５１のねじれを防止する。なお収容溝５６の中央には、埋設軸４１を埋め込むため、下穴５５を加工してある。連結管１２は、収容溝５６で拘束されるため、平面３６に長孔３１を設ける必要はなく、代替として丸孔４５を設けてある。
【００３９】
連結管１２の曲面３４側には、長孔３１を設けてあり、曲面３４に接触する図の左側の部材６１は、長孔３１を利用して角度を調整できる。また、長孔３１の内部に配置する内方ワッシャ２１は、図１などと同じ物で、中孔３５と側孔３７を設けてあり、施工時は、連結管１２と部材６１をボルト３８で一体化して、さらに釘類２８を差し込む。なおこの図の構成は、連結管１２が収容溝５６に嵌り込むため、圧縮荷重やせん断荷重に対する強度が向上する。
【００４０】
図８は、図７の二部材５１、６１を直角に連結した状態を示している。連結管１２は、右側の部材５１の収容溝５６に嵌り込み、さらに埋設軸４１に螺合したボルト３８を締め付けることで、連結管１２と部材５１が一体化する。対して左側の部材６１は、長孔３１に差し込まれたボルト３８を締め付けるまでの間、その方向を一定の範囲で調整できる。なお図の横断面では、釘類２８が長孔３１の端に位置しており、左側の部材６１は反時計回りにのみ変位できる。仮に時計回りに変位させたい場合、内方ワッシャ２１を反転して組み込む。
【００４１】
図９は、部材５１、６１のねじれ対策として、それぞれの部材５１、６１に円弧状の収容溝５４、６４を加工した構成を示している。この図の連結管１１は、図１と同じで、両部材５１、６１に埋設軸４１を埋め込むことも、これまでと同じである。ただし二部材５１、６１のいずれも、連結管１１の曲面３４と密着できるよう、円弧状の収容溝５４、６４を加工したことが異なる。施工時、連結管１１と各部材５１、６１をボルト３８で引き寄せると、曲面３４が収容溝５４、６４に密着して、連結管１１と部材５１、６１のねじれを防止する。なおボルト３８を締め付ける前については、長孔３１によって二部材５１、６１の交角を自在に調整できる。
【００４２】
この図のように、収容溝５４、６４を加工するならば、図１などのような釘類２８は不要である。そのため内方ワッシャ２４は、ボルト３８の差し込みだけを考慮した単純な形状で、施工作業も簡素化される。なお収容溝５４、６４は円弧状であるため、大径のドリルで短時間に加工可能である。そのほか、連結管１１が収容溝５４、６４に嵌まり込むことで、連結部の剛性が向上するほか、圧縮荷重は、収容溝５４、６４の全域で受け止められ、陥没などを防止できる。
【００４３】
図１０は、埋設軸４２の形状例を示している。埋設軸４２は、部材５１、６１と一体化して引張荷重に対する耐力があれば、構成や形状は自在である。この図の埋設軸４２は、側周面に凸条４７を形成したほか、一端側にオネジ４９を形成してあり、さらにオネジ４９と凸条４７の間には、工具を掛けるための頭部４６と、部材５１の表面に接触するツバ４４を設けてある。ツバ４４と頭部４６とオネジ４９は、埋め込み後も外部に露出し、オネジ４９にナット３９を螺合することで、連結管１１を部材５１に引き寄せる。
【００４４】
このような埋設軸４２を用いた場合でも、連結管１１の形状は変わらない。ただし長孔３１は、オネジ４９や頭部４６を差し込み可能な大きさに調整する。また内方ワッシャ２１についても、オネジ４９を差し込み可能で、且つナット３９を安定して据え置けるものとする。そのほか、内方ワッシャ２１から部材５１に向けて釘類２８を差し込む点は、これまでと同じである。なおこの図では、対向する二箇所の長孔３１のいずれも、オネジ４９を有する埋設軸４２を差し込むことを想定している。
【００４５】
図１１は、連結管１４と部材５１、６１のねじれを規制するため、円盤状のプレート１８を用いた構成を示している。この図においても、各部材５１、６１に埋設軸４１を埋め込み、さらに連結管１４の内部からボルト３８を差し込むことに変わりはない。ただし二枚のプレート１８を用い、連結管１４と二部材５１、６１を一括して挟み込み、ねじれを防止することが異なる。プレート１８は、金属または木板を円盤状に切り抜いたもので、連結管１４の上下に同心で並べ、その中心を貫く長ボルト７１と、これに螺合するナット７３を用い、連結管１４に密着させる。なお長ボルト７１を差し込むため、プレート１８の中心には、小孔７４を設けてある。
【００４６】
この図では、プレート１８が部材５１、６１の上下面から突出しないよう、連結管１４の高さを抑制してあり、さらに各部材５１、６１の角部には、プレート１８を収容する切り欠き５８、６８を加工してある。また内方ワッシャ２４には、ボルト３８だけを差し込むため、中孔３５だけを設けてある。そのほか連結管１４には、作業性を改善するため、長孔３１につながる連通路７２を形成してある。そのため施工時、まず始めに、ボルト３８をメネジ４８にわずかだけ螺合させ、その後、連結管１４を部材５１、６１に取り付けることができ、連結管１４の中にボルト３８を差し込む手間が解消される。
【００４７】
図１２は、図１１の二部材５１、６１を連結する過程を示している。図上方のように、プレート１８を組み付ける前の時点で、連結管１４は二部材５１、６１を引き寄せているが、連結管１４と部材５１、６１のねじれを規制できない。なお連結管１４の上下面は、切り欠き５８、６８と段差なく並んでいる。その後、図下方のように、二枚のプレート１８で連結管１４を挟み込み、さらにプレート１８の外縁部分を切り欠き５８、６８に載せることで、連結管１４と部材５１、６１のねじれが規制される。プレート１８は、あくまでも連結管１４と部材５１、６１のねじれを防止するもので、プレート１８外縁と切り欠き５８、６８に隙間があっても構わない。
【００４８】
図１３は、連結管１１と部材５１、６１のねじれを規制するため、帯状のプレート１９を用いた構成を示している。この図では、連結管１１の高さを部材５１、６１と同じとして、プレート１９を各部材５１、６１の上下面に接触させて、ねじれを規制する。部材５１、６１の上下面にプレート１９を載せても構わない場合、このような単純な構成とすることもできる。
【００４９】
ここで使用している内方ワッシャ２５は、製造の手間を削減するため、丸棒を流用しており、その側周面中央には、ボルト３８を差し込むための中孔３５を設け、さらにボルト３８の頭部を載せるため、座面７５も設けてある。この内方ワッシャ２５は、連結管１１の内周面と線状に接触するため、安定性に問題はない。
【００５０】
図１４は、図１３の二部材５１、６１を連結する過程を示している。図上方のように、プレート１９を組み付ける前の時点で、連結管１１は二部材５１、６１を引き寄せているが、連結管１１と部材５１、６１のねじれを規制できない。ただし内方ワッシャ２５は、連結管１１の内周面を押し込むように接触しており、安定性に問題はない。そして図下方のように、プレート１９を組み付けると、これが連結管１１と部材５１、６１を挟み込み、双方のねじれが規制される。なおプレート１９は、単に連結管１１や部材５１、６１と接触できればよいので、その形状は自在で、汎用性に問題はない。
【００５１】
図１５は、連結管１５の両端面をフタ７６で塞ぐ構成を示している。美感などを考慮して、この図のように、連結管１５をフタ７６で塞ぐこともある。このフタ７６は、連結管１５の内部に嵌まり込む形状で、横から差し込む短ボルト７８で連結管１５に固定する。そのため連結管１５の側周面には、横孔３３を設けてあり、さらにフタ７６の側周面には、ネジ孔７７を設けてある。
【００５２】
図の右側の部材５１は、高さを増しており、埋設軸４１を上下二列に配置してある。これに対応して連結管１５の側周面には、上下に並ぶ二列の長孔３１を設けてある。そのため連結管１５と部材５１は、ねじれを生じることがなく、この箇所については、中孔３５だけを有する簡素な内方ワッシャ２４を使用している。ただし左側の部材６１については、埋設軸４１が一本だけであり、内方ワッシャ２１から部材６１に向けて、釘類２８を差し込む。
【００５３】
図１６は、図１５の二部材５１、６１を連結する過程を示している。図上方のように、フタ７６を組み付ける前の時点で、連結管１５は二部材５１、６１を引き寄せ、しかも連結管１５と部材５１、６１のねじれも規制されている。そして連結管１５の両端面にフタ７６を嵌め込み、さらに短ボルト７８を締め付けると、図下方のように、連結管１５の端面が塞がれる。なおフタ７６の形状を工夫することで、図１１および図１２のプレート１８と同じ機能を持たせることもできる。
【００５４】
図１７は、図１５の部材５１を鋼材に置き換え、また部材６１には、異形棒鋼を用いた埋設軸４３を埋め込んだ構成を示している。本発明では、連結される複数の部材５１、６１のうち、いずれかは、鋼材やコンクリートなどでも構わない。そこでこの図では、右側の部材５１に溝形鋼を用いている。この部材５１と連結管１５は、固定ボルト７９とナット３９で一体化され、部材５１の側面には、固定ボルト７９を差し込むため、上下二箇所に固定孔５３を設けてある。
【００５５】
左側の部材６１の端面に埋め込む埋設軸４３は、異形棒鋼を切り出したもので、その表面にはリブ８０が連続的に形成してあり、さらに一端面には、ボルト３８を螺合するため、メネジ４８を形成してある。この埋設軸４３を下穴６５に埋め込む際は、あらかじめ側周面に接着剤を塗布する。接着剤は、隣接するリブ８０の間に入り込み、大きな摩擦を生じるため、施工後の引張荷重に耐えることができる。
【００５６】
図１８は、図１７の二部材５１、６１を連結する過程を示している。図上方のように、溝形鋼を用いた部材５１の側面に連結管１５が密着しており、その反対側には、部材６１が密着している。そして連結管１５の両端面にフタ７６を嵌め込み、さらに短ボルト７８を締め付けると、図下方のように、連結管１５の端面が塞がれる。なおこの図では、フタ７６の端面と、部材５１の上下面が段差なく並ぶよう調整してある。
【００５７】
図１９は、より簡素な方法で二部材５１、６１を連結する構成を示している。連結管１６と部材５１、６１のねじれを防止する「回動防止手段」として機能する釘類２８は、埋設軸４１と比較して作用する荷重が小さい。そこで釘類２８は、この図のように内方ワッシャ２４と接することなく、連結管１６からそのまま部材５１、６１に向けて差し込むこともできる。その場合、釘類２８の頭部は、連結管１６の内周面と点接触するが、経年による緩みを防止できるならば、問題なく使用できる。なお連結管１６の側周面上部には、釘類２８を差し込むため、対向する二箇所に横孔３３を設けてある。
【００５８】
図２０は、三本の部材５１、６１ａ、６１ｂを連結する構成を示している。本発明は、連結管１７の長孔３１を多数配置することで、三本以上の部材５１、６１ａ、６１ｂを連結することもできる。ただし、内方ワッシャ２１やボルト３８などが連結管１７の内部で接触しないよう、長孔３１の配置には配慮を要する。この図では、二本の部材６１ａ、６１ｂのうち、部材６１ａについては、端面下方に埋設軸４１を埋め込み、部材６１ｂについては、端面上方に埋設軸４１を埋め込み、長孔３１もこれに対応した配置としてある。そのほか施工時の利便性を向上するため、連結管１７の上面には、等角度で目盛８１を刻印してあり、これに対応して部材６１ｂの上面中央には、墨出し線６６を描いてある。
【００５９】
本発明は、これまでの各図で示した構成に限定される訳ではなく、各図に示された個別の要素を自在に組み合わせ、様々な場面で使用することができる。
【符号の説明】
【００６０】
１１  連結管（長孔だけを設けたもの）
１２  連結管（半円形で平面を設けたもの）
１３  連結管（長孔が突出部に対応したもの）
１４  連結管（長孔に連通路が接続するもの）
１５  連結管（フタの取り付けを考慮したもの）
１６  連結管（釘類を差し込む横孔を設けたもの）
１７  連結管（長孔を三箇所に設けたもの）
１８  プレート（円盤状）
１９  プレート（帯状）
２１  内方ワッシャ（中孔と側孔があるもの）
２２  内方ワッシャ（中孔と側孔と規制片があるもの）
２３  内方ワッシャ（中孔と突出部があるもの）
２４  内方ワッシャ（中孔だけがあるもの）
２５  内方ワッシャ（丸棒を用いたもの）
２７  規制片
２８  釘類
２９  突出部
３１  長孔（幅の狭いもの）
３２  長孔（突出部に対応したもの）
３３  横孔
３４  曲面
３５  中孔
３６  平面
３７  側孔
３８  ボルト
３９  ナット
４１  埋設軸（ラグスクリュー）
４２  埋設軸（ラグスクリュー・オネジのあるもの）
４３  埋設軸（異形棒鋼）
４４  ツバ
４５  丸孔
４６  頭部
４７  凸条
４８  メネジ
４９  オネジ
５１  部材
５３  固定孔
５４  収容溝（連結管の曲面が嵌まり込むもの）
５５  下穴
５６  収容溝（連結管の平面が嵌まり込むもの）
５８  切り欠き
５９  段差部
６１  部材
６４  収容溝（連結管の曲面が嵌まり込むもの）
６５  下穴
６６  墨出し線
６８  切り欠き
６９  段差部
７１  長ボルト
７２  連通路
７３  ナット
７４  小孔
７５  座面
７６  フタ
７７  ネジ孔
７８  短ボルト
７９  固定ボルト
８０  リブ
８１  目盛
【図１】
2015203281.tif 000003
【図２】
2015203281.tif 000004
【図３】
2015203281.tif 000005
【図４】
2015203281.tif 000006
【図５】
2015203281.tif 000007
【図６】
2015203281.tif 000008
【図７】
2015203281.tif 000009
【図８】
2015203281.tif 000010
【図９】
2015203281.tif 000011
【図１０】
2015203281.tif 000012
【図１１】
2015203281.tif 000013
【図１２】
2015203281.tif 000014
【図１３】
2015203281.tif 000015
【図１４】
2015203281.tif 000016
【図１５】
2015203281.tif 000017
【図１６】
2015203281.tif 000018
【図１７】
2015203281.tif 000019
【図１８】
2015203281.tif 000020
【図１９】
2015203281.tif 000021
【図２０】
2015203281.tif 000022